(57)【要約】      （修正有）【課題】地中の障害物を効率よく破砕して撤去する地中障害物破砕撤去装置を提供する。【解決手段】回転駆動されて、垂直方向に伸縮する回転軸１８と、この回転軸１８の下端部分を取り囲むように配置された円筒２０と、円筒２０の下縁に取り付けられた複数の切削ビット２６と、一端を上記回転軸１８の下端部分に固定して、回転軸１８を中心に放射状に広げた他端を上記の円筒２０の内壁に固定し、回転方向と逆方向に凸になるように湾曲した複数のアーム２８と、これらのアーム２８の回転方向に向いた側面に固定された複数の貫入ビット３０と、上記回転軸１８の下端部分に固定され、下方向に尖った先端を向けた破砕ビット３２と、円筒２０の下端部分の内壁に固定されたインナービット３４とを備える。【選択図】図１
0003217455.tif 000002
【実用新案登録請求の範囲】
【請求項１】
回転駆動される回転軸１８の下端部分１９を取り囲むように配置された円筒２０と、
上記円筒２０の下縁に取り付けられた複数の切削ビット２６と、
一端を上記回転軸１８の下端部分１９に固定して、回転軸１８を中心に放射状に広げた他端を上記の円筒２０の内壁に固定し、回転方向と逆方向に凸になるように湾曲した複数のアーム２８と、
これらのアーム２８の回転方向に向いた側面に固定された複数の貫入ビット３０とを備えたことを特徴とする地中障害物破砕撤去装置。
【請求項２】
上記円筒２０の下縁の内壁に固定されたインナービット３４を備えたことを特徴とする請求項１に記載の地中障害物破砕撤去装置。
【請求項３】
上記回転軸１８の下端部分１９に固定され、下方向に尖った先端を向けた破砕ビット３２を備えたことを特徴とする請求項１または２に記載の地中障害物破砕撤去装置。
【考案の詳細な説明】
【技術分野】
【０００１】
本考案は、既存杭等の地下埋設物を破砕しながら撤去するための地下埋設物破砕撤去装置に関する。
【背景技術】
【０００２】
鉄筋コンクリート製の杭のような地下埋設物を破砕して撤去するために、様々な装置が開発されている（特許文献１）。この特許文献１中にも、同様の目的の装置が各種紹介されている。
【先行技術文献】
【特許文献】
【０００３】
【特許文献１】実用新案登録第３２０５２７９号公報
【考案の概要】
【考案が解決しようとする課題】
【０００４】
既知の従来の技術には、次のような解決すべき課題があった。
地下埋設物を撤去するのは、新たな建築物の工事の障害になるものを除外するためであって、できるだけ短期に迅速に工事が進められることが望ましい。それには、地下埋設物をできるだけ効率よく大きく剥ぎ取って地上に引き上げる機能が要求される。本考案はこのような目的を達成するためになされたものである。
【課題を解決するための手段】
【０００５】
以下の構成はそれぞれ上記の課題を解決するための手段である。
【０００６】
＜構成１＞
回転駆動される回転軸１８の下端部分１９を取り囲むように配置された円筒２０と、
上記円筒２０の下縁に取り付けられた複数の切削ビット２６と、
一端を上記回転軸１８の下端部分１９に固定して、回転軸１８を中心に放射状に広げた他端を上記の円筒２０の内壁に固定し、回転方向と逆方向に凸になるように湾曲した複数のアーム２８と、
これらのアーム２８の回転方向に向いた側面に固定された複数の貫入ビット３０とを備えたことを特徴とする地中障害物破砕撤去装置。
【０００７】
＜構成２＞
上記円筒２０の下縁の内壁に固定されたインナービット３４を備えたことを特徴とする構成１に記載の地中障害物破砕撤去装置。
【０００８】
＜構成３＞
上記回転軸１８の下端部分１９に固定され、下方向に尖った先端を向けた破砕ビット３２を備えたことを特徴とする構成１または２に記載の地中障害物破砕撤去装置。
【考案の効果】
【０００９】
地中障害物の塊２４を円筒２０の内部に取り込んで剥ぎ取り、塊２４を掴んで、効率良く地上に引き上げることができる。
インナービット３４を設けると、塊２４を傷つけて剥ぎ取り、落下しないように支えて引き上げることができる。
回転軸１８の下端部分１９に破砕ビット３２を設けると、塊２４の上面の形状を整えてアーム２８等を保護することができる。
【図面の簡単な説明】
【００１０】
【図１】図１は本考案の地下埋設物破砕装置の主要部縦断面図である。
【図２】図２は、本考案の装置を使用した工事の説明図である。
【図３】図３は図１の構造を上方から見た平面図である。
【図４】図４は図１の機構を下方から見た底面図である。
【考案を実施するための形態】
【００１１】
以下、本考案の実施の形態を実施例毎に詳細に説明する。
【実施例１】
【００１２】
図１は本考案の地下埋設物破砕装置の縦断面図である。また、図２は、本考案の装置を使用した工事の説明図である。
図２において、重機１０が駆動部１４と回転軸１８を支持しており、駆動部１４が回転軸１８を回転駆動する。本考案の地下埋設物破砕装置は、この回転軸１８の下端に固定される。回転軸１８に固定された円筒２０は、地面に形成された作業孔１２を通って、地中に降ろされる。
【００１３】
回転軸１８は、駆動部１４によって回転駆動されて垂直方向に伸縮する構造をしている。回転軸１８は、回転しながら円筒２０を地中深くまで差し込んで、地下埋設物１６を破砕するように駆動される。この回転軸１８は、例えば油圧機構やモーター等により回転され、伸縮駆動される。そして、以下のような機構によって破砕して剥ぎ取った地下埋設物１６の塊を地上まで引き上げるように駆動される。
【００１４】
地中埋設物１６は撤去されるべき杭等である。円筒２０は、地下埋設物１６の上端にかぶさってその一部を剥ぎ取るように動作する。内部構造により地下埋設物破砕装置を構成する円筒２０は、回転軸１８の下端に着脱可能に取り付けられている。
【００１５】
図１に示すように、回転軸１８の下端に固定されるこの装置は、円筒２０の上部内側等に支持枠２２を備え、アーム２８や様々な構造物破砕用のビットを備えている。回転軸１８の下端は支持枠２２に固定されている。
【００１６】
図１に示した指示枠２２の下方に延びた回転軸１８の下端部分１９は、回転軸１８と同軸的に一体に回転するが、回転軸１８の一部をそのまま延長したものでもよいし、支持枠２２の中央に溶接された回転軸１８とは別体の柱状の部材であってもよい。
【００１７】
図３は図１の構造を上方から見た平面図である。
なお、この図において、支持枠２２の背面にある構造は図が見難くなるので細線の破線で表示した。
【００１８】
円筒２０は、回転軸１８の下端部分１９を取り囲むように配置されている。この円筒２０は、例えば、直径が、０．６〜２．０5メートルで、厚みが40ミリメートルといった鋼鉄製の筒であって、回転軸１８と一体に回転し、地下埋設物１６の一部を剥ぎ取るために使用される。
【００１９】
図３に示すように円筒２０の上部には十字に組まれた支持枠２２が溶接等により固定されている。断面が四角のパイプ等からなる。これが回転軸１８と円筒２０とを一体化している。回転軸１８の下端部分１９には横断面が正方形の部分があって、これが、支持枠２２の正方形の貫通孔３８に嵌まり込んで固定されている。この実施例では、図１に示した回転軸１８の下端部分１９は、支持枠２２の下方に別途固定された円柱である。
【００２０】
図１に示すように、円筒２０の下縁には、多数の切削ビット２６が取り付けられている。これらの切削ビット２６は、円筒２０の回転により、地下埋設物１６の側面やその周辺を削って、地下埋設物１６の一部の塊２４を円筒２０の内部に取り込むように作用する。
【００２１】
回転軸１８の下端部分１９には、この例では３本のアーム２８の一端が固定され、回転軸１８を中心に放射状に広げられ、他端を上記の円筒２０の内面に固定している。
【００２２】
図４は図１の機構を下方から見た底面図である。
この図でも、アーム２８の背面にある支持枠２２は、図が見難くなるので、細線の破線で表示した。支持枠２２が円筒２０の上部に固定され、回転軸１８が支持枠２２に固定されているから。アーム２８も円筒２０とともに回転される。３本のアーム２８は、いずれも回転方向３６と逆方向に凸になるように湾曲した形状をしている。
【００２３】
複数のアーム２８には、その回転方向に向いた側面に、複数の貫入ビット３０が固定されている。回転軸１８が回転方向３６に回転すると、複数の湾曲したアーム２８が埋設物の塊２４を囲い込む。さらに、回転軸１８の回転により複数のアーム２８が塊２４（図１）に押し付けられる。
【００２４】
これにより、塊２４に複数の貫入ビット３０が食い込む。その後回転軸１８が強い力で回転し続けると、塊２４が内部の鉄筋とともに埋設物から剥ぎ取られる。
【００２５】
図１に示すように、回転軸１８の下端部分１９には下方向に尖った先端を向けた破砕ビット３２が固定されている。破砕ビット３２は、円筒２０の内部に取り込まれた塊２４の上部を削り取って塊２４の形状を整える。
【００２６】
また、塊２４の上部に突き出した図示しない鉄筋等を潰して、アーム２８や貫入ビット３０に絡むのを防止する。これにより、複数のアーム２８で塊２４を囲い込み、アーム２８を塊２４に突き立て易くする。
【００２７】
図１に示すように、円筒２０の下端内壁は、２から３本のインナービット３４が固定されている。このインナービット３４は、塊２４が円筒２０の内部に取り込まれるときに、塊２４の外周に螺旋状の溝を形成して、塊２４の外周面に食い込む。
【００２８】
塊２４の上部が回転軸１８の下端に突き当たると、破砕ビット３２でその一部が削られるが、それ以上は円筒２０の中に入らなくなる。このとき、円筒２０に強い回転力が加わると、アーム２８の貫入ビット３０は塊２４の上部に食い込んで強くねじる。
【００２９】
インナービット３４は塊２４の外周面にリング状に傷を付ける。塊２４にさらに強いねじりが加わると、リング状の傷から割れて、塊２４はその下部の地下埋設物１６から剥ぎ取られる。
【００３０】
こうして、円筒２０の内側に取り込まれた、地下埋設物１６からはぎ取られた塊２４は、その後地上まで引き上げられる。この時、インナービットが塊２４の下部側面に食い込んで、塊２４が円筒２０から脱落するのを阻止する。
【００３１】
上記のアーム２８の数は２本でも２本でも構わない。切削ビット２６や貫入ビット３０やインナービット３４の数も任意である。これらのビットは使用により破損したり摩耗するので、いずれも着脱可能な構造にして交換できることが好ましい。
【符号の説明】
【００３２】
１０  重機
１２  作業孔
１４  駆動部
１６  地下埋設物
１８  回転軸
１９  下端部分
２０  円筒
２２  支持枠
２４  塊
２６  切削ビット
２８  アーム
３０  貫入ビット
３２  破砕ビット
３４  インナービット
【図１】
0003217455.tif 000003
【図２】
0003217455.tif 000004
【図３】
0003217455.tif 000005
【図４】
0003217455.tif 000006